(57)【要約】【課題】情報配信局などの特別な装置を設置しなくとも、情報提供者が情報を提供したい場所、コンテンツを配信する端末装置および日時を指定することのできる方法を提供する。【解決手段】携帯電話３は、自機の位置情報とＩＤを含む配信要求メッセージをコンテンツ配信サーバ２に送信すると（Ｓ１３）、コンテンツ配信サーバ２は、配信要求メッセージに含まれる位置情報が配信条件の地理情報に適合し、かつ、携帯電話３のＩＤが配信条件のグループ情報に適合し、かつ、配信要求メッセージの受信日時が配信条件の日時情報に適合するコンテンツを検索し（Ｓ１４）、検索したコンテンツを携帯電話３に送信する（Ｓ１６ｂ）。【選択図】図９
2010009441.tif 000002
【特許請求の範囲】
【請求項１】
無線通信ネットワーク上に配置されたサーバが、無線端末装置から送信されたコンテンツを他の無線端末装置に配信する方法であって、ａ１）無線端末装置が、前記無線通信ネットワークを介して、コンテンツおよび前記コンテンツの配信を許可する地理情報を少なくとも含む前記配信条件を前記サーバに送信するステップを実行し、前記サーバが、前記無線通信ネットワークを介して、前記コンテンツおよび前記配信条件を前記無線端末装置から受信したとき、ａ２）前記サーバが、前記無線端末装置から送信された前記配信条件を前記コンテンツに関連付けて記憶するステップが実行され、ｂ１）前記無線端末装置が自機の位置情報を取得し、自機の位置情報を少なくとも含む配信要求メッセージを前記サーバに送信するステップを実行し、前記サーバが、前記無線通信ネットワークを介して、前記配信要求メッセージを前記無線端末装置から受信したとき、ｂ２）前記サーバが、前記サーバに蓄積されている前記コンテンツの中から、前記配信要求メッセージに含まれる位置情報が前記配信条件の地理情報に適合する前記コンテンツを検索するステップ、ｂ３）前記サーバが、前記配信要求メッセージを送信した前記無線端末装置に対し、前記無線通信ネットワークを介して、前記ステップｂ２）で検索した前記コンテンツを配信するステップが実行されることを特徴とするコンテンツ配信方法。
【請求項２】
請求項１に記載のコンテンツ配信方法であって、前記サーバは、複数の前記無線端末装置から構成されるグループごとに、グループ名に関連付けて、前記グループに属する前記無線端末装置のＩＤを記憶し、前記ステップａ１）において、前記無線端末装置は、前記サーバに送信する前記配信条件に、前記コンテンツの配信を許可する前記グループ名が記述されたグループ情報を含ませ、前記ステップｂ１）において、前記無線端末装置は、自機のＩＤを前記配信要求メッセージに含ませ、前記ステップｂ２）において、前記サーバは、前記配信条件に適合する前記コンテンツとして、前記サーバに蓄積されている前記コンテンツの中から、前記配信要求メッセージに含まれる位置情報が前記配信条件の地理情報に適合し、かつ、前記配信要求メッセージに含まれる前記無線端末装置のＩＤが前記配信条件のグループ情報で特定される前記グループに含まれる前記コンテンツを検索することを特徴とするコンテンツ配信方法。
【請求項３】
請求項１に記載のコンテンツ配信方法であって、前記ステップａ１）において、前記無線端末装置は、前記サーバに送信する前記配信条件に、前記コンテンツの配信を許可する日時情報を含ませ、前記ステップｂ２）において、前記サーバは、前記配信条件に適合する前記コンテンツとして、前記サーバに蓄積されている前記コンテンツの中から、前記配信要求メッセージに含まれる位置情報が前記配信条件の地理情報に適合し、かつ、前記配信要求メッセージを受信したときの日時が前記配信条件の日時情報に適合する前記コンテンツを検索することを特徴とするコンテンツ配信方法。
【請求項４】
請求項２に記載のコンテンツ配信方法であって、前記ステップａ１）において、前記無線端末装置は、前記サーバに送信する前記配信条件に、地理情報、グループ情報および日時情報を含ませ、前記ステップｂ２）において、前記サーバは、前記配信条件に適合する前記コンテンツとして、前記サーバに蓄積されている前記コンテンツの中から、前記配信要求メッセージに含まれる位置情報が前記配信条件の地理情報に適合し、かつ、前記配信要求メッセージに含まれる前記無線端末装置のＩＤが前記配信条件のグループ情報で特定される前記グループに含まれ、かつ、前記配信要求メッセージを受信したときの日時が前記配信条件の日時情報に適合する前記コンテンツを検索することを特徴とするコンテンツ配信方法。
【請求項５】
請求項１から請求項４のいずれか一つに記載のコンテンツ配信方法であって、前記ステップｂ１）において、前記無線端末装置は自機の位置情報を取得し、自機の位置情報を地理情報として前記配信条件に含ませることを特徴とするコンテンツ配信方法。
【請求項６】
請求項５に記載のコンテンツ配信方法であって、前記無線端末装置は、一定期間が経過するごとに前記ステップｂ１）を実行することを特徴とするコンテンツ配信方法。
【請求項７】
請求項６に記載のコンテンツ配信方法であって、ステップｂ１）において、前記無線通信端末は、自機の位置情報を取得すると、前回取得した自機の位置情報と今回取得した自機の位置情報を比較し、それぞれの位置情報が一致するときは、前記配送要求メッセージをサーバに送信しないことを特徴とするコンテンツ配信方法。
【請求項８】
無線通信ネットワーク上に配置されたサーバが、無線端末装置から送信されたコンテンツを他の無線端末装置に配信するシステムであって、前記前記無線端末装置は、自機の位置情報を取得する位置情報取得手段と、前記無線通信ネットワークを介して、前記コンテンツおよび前記コンテンツの配信を許可する地理情報を少なくとも含む前記配信条件を送信するコンテンツ送信手段と、前記位置情報取得手段が取得した位置情報を少なくとも含む前記配信要求メッセージを前記サーバに送信する配信要求手段を備え、前記サーバは、前記無線通信ネットワークを介して、前記コンテンツおよび前記配信条件を前記無線端末装置から受信したときに、前記無線端末装置から送信された前記配信条件を前記コンテンツに関連付けて記憶するコンテンツ蓄積手段と、前記無線通信ネットワークを介して、前記配信要求メッセージを前記無線端末装置から受信したときに、前記サーバに蓄積されている前記コンテンツの中から、前記配信要求メッセージに含まれる位置情報が前記配信条件の地理情報に適合する前記コンテンツを検索し、前記配信要求メッセージを送信した前記無線端末装置に対して、検索した前記コンテンツを配信するコンテンツ配信手段を備えていることを特徴とするコンテンツ配信システム。
【請求項９】
請求項８に記載のコンテンツ配信システムであって、前記無線端末装置に備えられた前記コンテンツ送信手段は、前記サーバに送信する前記配信条件に、前記コンテンツの配信を許可するグループ名が記述されたグループ情報を含ませる手段で、前記配信要求手段は、自機のＩＤを前記配信要求メッセージに含ませる手段で、前記サーバは、複数の前記無線端末装置から構成されるグループごとに、グループ名に関連付けて、前記グループに属する前記無線端末装置のＩＤを記憶し、前記コンテンツ配信手段は、前記配信条件に適合する前記コンテンツとして、前記サーバに蓄積されている前記コンテンツの中から、前記配信要求メッセージに含まれる位置情報が前記配信条件の地理情報に適合し、かつ、前記配信要求メッセージに含まれる前記無線端末装置のＩＤが前記配信条件のグループ情報で特定される前記グループに含まれる前記コンテンツを検索することを特徴とするコンテンツ配信システム。
【請求項１０】
請求項８に記載のコンテンツ配信システムであって、前記無線端末装置の前記コンテンツ送信手段は、前記サーバに送信する前記配信条件に、前記コンテンツの配信を許可する日時情報を含ませ、前記サーバに備えられた前記コンテンツ配信手段は、前記配信条件に適合する前記コンテンツとして、前記サーバに蓄積されている前記コンテンツの中から、前記配信要求メッセージに含まれる位置情報が前記配信条件の地理情報に適合し、かつ、前記配信要求メッセージを受信したときの日時が前記配信条件の日時情報に適合する前記コンテンツを検索することを特徴とするコンテンツ配信システム。
【請求項１１】
請求項９に記載のコンテンツ配信システムであって、前記無線端末装置の前記コンテンツ送信手段は、前記サーバに送信する前記配信条件に、地理情報、グループ情報および日時情報を含ませる手段で、前記サーバの前記コンテンツ配信手段は、前記配信条件に適合する前記コンテンツとして、前記サーバに蓄積されている前記コンテンツの中から、前記配信要求メッセージに含まれる位置情報が前記配信条件の地理情報に適合し、かつ、前記配信要求メッセージに含まれる前記無線端末装置のＩＤが前記配信条件のグループ情報で特定される前記グループに含まれ、かつ、前記配信要求メッセージを受信したときの日時が前記配信条件の日時情報に適合する前記コンテンツを検索することを特徴とするコンテンツ配信システム。
【請求項１２】
請求項８から請求項１１のいずれか一つに記載のコンテンツ配信システムであって、前記無線端末装置に備えられた前記コンテンツ送信手段は、前記位置情報取得手段が取得した自機の位置情報を地理情報として前記配信条件に含ませることを特徴とするコンテンツ配信システム。
【請求項１３】
請求項１２に記載のコンテンツ配信システムであって、前記無線端末装置の前記コンテンツ送信手段は、一定期間が経過するごとに、前記配送要求メッセージをサーバに送信する手段であることを特徴とするコンテンツ配信システム。
【請求項１４】
請求項１３に記載のコンテンツ配信システムであって、前記無線通信端末の前記コンテンツ送信手段は、前記位置情報取得手段が取得した前回の位置情報と今回の位置情報を比較し、それぞれの位置情報が一致するときは、前記配送要求メッセージを前記サーバに送信しないことを特徴とするコンテンツ配信システム。
【発明の詳細な説明】
【技術分野】
【０００１】
本発明は、端末装置間で相互に情報交換するための技術に関し、更に詳しくは、情報の情報提供側で情報を提供する端末装置を指定できる技術に関する。
【背景技術】
【０００２】
地域コミュニティの一環として、地域の問題点を地域住民間で共有化し、地域住民が協力して解決する仕組み作りが必要となっている。このような仕組み作りには、情報提供者が作成した情報を公衆に知らせる技術が必要で、情報提供者が作成した情報を公衆に知らせる発明としては、例えば、特許文献１で開示されているシステムがある。
【０００３】
特許文献１で開示されているシステムにおいては、ＧＰＳ衛星から受信した地図データ、デジタルカメラが撮影した画像データ、文字入力操作に応じて入力した文字データに基づいて、情報提供者がオリジナル情報を作成し、このオリジナル情報は、情報提供者が所持する携帯端末から、街角のコンビニエンスストアなどに併設して設置される情報配信局に送信される。
【０００４】
情報配信局は、情報提供者が所持する携帯端末から送信されたオリジナル情報に含まれる地図データが示す地域と自己が設置されている場所を比較し、地図データが示す地域と自己が設置されている場所に対応する地域が同一であれば、このオリジナル情報を記憶し、異なれば他の情報配信局にオリジナル情報を転送する。
【０００５】
この処理によって、オリジナル情報は、地図データが示す地域と同一の地域に設置された情報配信局に記憶され、不特定多数の情報受給者側の携帯端末が情報配信局の通信圏内に移動したときに、オリジナル情報は、不特定多数の情報受給者側の携帯端末にダウンロードされ表示される。
【０００６】
【特許文献１】特開２００１−３５０９４１号公報
【発明の開示】
【発明が解決しようとする課題】
【０００７】
しかし、上述した特許文献１で開示されている発明では、情報提供者は、情報配信局が設置されていない場所でオリジナル情報を送信することができないし、更に、情報提供者は、情報配信局が設置されていない場所でオリジナル情報を受信することはできない。このことは、情報提供者がオリジナル情報を提供したい場所に、情報配信局などの特別な装置を設置しなければならないことを意味する。
【０００８】
加えて、特許文献１で開示されている発明では、情報提供者は、オリジナル情報を配信する端末装置や、オリジナル情報を配信する日時を指定することはできない問題もある。
【０００９】
そこで、本発明は、端末装置間で相互に情報交換を行うとき、情報配信局などの特別な装置を設置しなくとも、情報提供者が情報を提供したい場所を指定でき、更に、情報提供者が、コンテンツを配信する端末装置や日時を指定することのできる方法およびシステムを提供することを目的とする。
【課題を解決するための手段】
【００１０】
上述した課題を解決する第１の発明は、無線通信ネットワーク上に配置されたサーバが、無線端末装置から送信されたコンテンツを他の無線端末装置に配信する方法であって、ａ１）無線端末装置が、前記無線通信ネットワークを介して、コンテンツおよび前記コンテンツの配信を許可する地理情報を少なくとも含む前記配信条件を前記サーバに送信するステップを実行し、前記サーバが、前記無線通信ネットワークを介して、前記コンテンツおよび前記配信条件を前記無線端末装置から受信したとき、ａ２）前記サーバが、前記無線端末装置から送信された前記配信条件を前記コンテンツに関連付けて記憶するステップが実行され、ｂ１）前記無線端末装置が自機の位置情報を取得し、自機の位置情報を少なくとも含む配信要求メッセージを前記サーバに送信するステップを実行し、前記サーバが、前記無線通信ネットワークを介して、前記配信要求メッセージを前記無線端末装置から受信したとき、ｂ２）前記サーバが、前記サーバに蓄積されている前記コンテンツの中から、前記配信要求メッセージに含まれる位置情報が前記配信条件の地理情報に適合する前記コンテンツを検索するステップ、ｂ３）前記サーバが、前記配信要求メッセージを送信した前記無線端末装置に対し、前記無線通信ネットワークを介して、前記ステップｂ２）で検索した前記コンテンツを配信するステップが実行されることを特徴とするコンテンツ配信方法である。
【００１１】
上述した第１の発明によれば、提供者となるユーザが他のユーザに配信する前記コンテンツは、地理情報を少なくとも含む前記配信条件に関連付けて前記サーバに記憶され、前記サーバは、前記配信条件の地理情報で特定される場所にある前記無線端末装置に対して前記コンテンツを配信する。前記無線端末装置から前記サーバへの前記コンテンツの送信および前記サーバから前記無線端末装置への前記コンテンツの送信には、前記無線通信ネットワークが利用されるため、前記無線通信ネットワークの圏内であれば、特許文献１で記載されている情報配信局を設ける必要はなくなる。
【００１２】
なお、本発明において前記無線端末装置とは、無線通信機能を備え、携帯可能な情報端末、例えば、携帯電話、PDA（Personal Digital Assistant）或いはUMPC（Ultra-Mobile PC）などを意味し、これらの情報端末に備えられているＧＰＳ機能を利用すれば、前記無線通信ネットワークの圏内において、提供者となるユーザはコンテンツを配信する場所を詳細に設定できる。
【００１３】
更に、第２の発明は、第１の発明に記載のコンテンツ配信方法であって、前記サーバは、複数の前記無線端末装置から構成されるグループごとに、グループ名に関連付けて、前記グループに属する前記無線端末装置のＩＤを記憶し、前記ステップａ１）において、前記無線端末装置は、前記サーバに送信する前記配信条件に、前記コンテンツの配信を許可する前記グループ名が記述されたグループ情報を含ませ、前記ステップｂ１）において、前記無線端末装置は、自機のＩＤを前記配信要求メッセージに含ませ、前記ステップｂ２）において、前記サーバは、前記配信条件に適合する前記コンテンツとして、前記サーバに蓄積されている前記コンテンツの中から、前記配信要求メッセージに含まれる位置情報が前記配信条件の地理情報に適合し、かつ、前記配信要求メッセージに含まれる前記無線端末装置のＩＤが前記配信条件のグループ情報で特定される前記グループに含まれる前記コンテンツを検索することを特徴とするコンテンツ配信方法である。
【００１４】
上述した第２の発明によれば、提供者となるユーザは、提供者となるユーザが他のユーザに配信するコンテンツは、地理情報とグループ情報を含む前記配信条件に関連付けて前記サーバに記憶され、サーバは、前記配信条件の地理情報で特定される場所にあり、更に、グループ情報で特定される前記グループに属する前記無線端末装置に対して前記コンテンツを配信する。
【００１５】
更に、第３の発明は、第１の発明に記載のコンテンツ配信方法であって、前記ステップａ１）において、前記無線端末装置は、前記サーバに送信する前記配信条件に、前記コンテンツの配信を許可する日時情報を含ませ、前記ステップｂ２）において、前記サーバは、前記配信条件に適合する前記コンテンツとして、前記サーバに蓄積されている前記コンテンツの中から、前記配信要求メッセージに含まれる位置情報が前記配信条件の地理情報に適合し、かつ、前記配信要求メッセージを受信したときの日時が前記配信条件の日時情報に適合する前記コンテンツを検索することを特徴とするコンテンツ配信方法である。
【００１６】
上述した第３の発明によれば、提供者となるユーザは、提供者となるユーザが他のユーザに配信するコンテンツは、地理情報と日時情報を含む前記配信条件に関連付けて前記サーバに記憶され、前記サーバは、前記配信要求メッセージを受信したときの日時が前記配信条件の日時情報に適合したときに、前記配信条件の地理情報で特定される場所にある前記無線端末装置に対してコンテンツを配信する。
【００１７】
更に、第４の発明は、第２の発明に記載のコンテンツ配信方法であって、前記ステップａ１）において、前記無線端末装置は、前記サーバに送信する前記配信条件に、地理情報、グループ情報および日時情報を含ませ、前記ステップｂ２）において、前記サーバは、前記配信条件に適合する前記コンテンツとして、前記サーバに蓄積されている前記コンテンツの中から、前記配信要求メッセージに含まれる位置情報が前記配信条件の地理情報に適合し、かつ、前記配信要求メッセージに含まれる前記無線端末装置のＩＤが前記配信条件のグループ情報で特定される前記グループに含まれ、かつ、前記配信要求メッセージを受信したときの日時が前記配信条件の日時情報に適合する前記コンテンツを検索することを特徴とするコンテンツ配信方法である。
【００１８】
上述した第４の発明によれば、提供者となるユーザは、提供者となるユーザが他のユーザに配信する前記コンテンツは、地理情報、グループ情報および日時情報を含む前記配信条件に関連付けて前記サーバに記憶され、前記サーバは、前記配信要求メッセージを受信したときの日時が前記配信条件の日時情報に適合したときに、前記配信条件の地理情報で特定される場所にあり、更に、グループ情報で特定される前記グループに属する前記無線端末装置に対して前記コンテンツを配信する。
【００１９】
更に、第５の発明は、第１の発明から第４の発明のいずれか一つに記載のコンテンツ配信方法であって、前記ステップｂ１）において、前記無線端末装置は自機の位置情報を取得し、自機の位置情報を地理情報として前記配信条件に含ませることを特徴とする。
【００２０】
上述した第５の発明によれば、提供側となるユーザは、ユーザがいる場所を地理情報として設定することができるようになる。
【００２１】
更に、第６の発明は、第５の発明に記載のコンテンツ配信方法であって、前記無線端末装置は、一定期間が経過するごとに前記ステップｂ１）を実行することを特徴とする。
【００２２】
上述した第６の発明によれば、前記無線端末装置を所持するユーザが移動したときに、ユーザが移動した場所に応じた前記コンテンツを配信できるようになる。
【００２３】
更に、第７の発明は、第６の発明に記載のコンテンツ配信方法であって、ステップｂ１）において、前記無線通信端末は、自機の位置情報を取得すると、前回取得した自機の位置情報と今回取得した自機の位置情報を比較し、それぞれの位置情報が一致するときは、前記配送要求メッセージをサーバに送信しないことを特徴とする。
【００２４】
上述した第７の発明によれば、前記無線通信端末が、前記ステップｂ１）において、自機の位置情報を取得すると、前回取得した自機の位置情報と今回取得した自機の位置情報を比較し、それぞれの位置情報が一致するときは、前記配送要求メッセージを前記サーバに送信しない処理を実行することで、ユーザが移動しないときに、同じ前記コンテンツが配信されることを防止できる。
【００２５】
更に、第８の発明は、無線通信ネットワーク上に配置されたサーバが、無線端末装置から送信されたコンテンツを他の無線端末装置に配信するシステムであって、前記前記無線端末装置は、自機の位置情報を取得する位置情報取得手段と、前記無線通信ネットワークを介して、前記コンテンツおよび前記コンテンツの配信を許可する地理情報を少なくとも含む前記配信条件を送信するコンテンツ送信手段と、前記位置情報取得手段が取得した位置情報を少なくとも含む前記配信要求メッセージを前記サーバに送信する配信要求手段を備え、前記サーバは、前記無線通信ネットワークを介して、前記コンテンツおよび前記配信条件を前記無線端末装置から受信したときに、前記無線端末装置から送信された前記配信条件を前記コンテンツに関連付けて記憶するコンテンツ蓄積手段と、前記無線通信ネットワークを介して、前記配信要求メッセージを前記無線端末装置から受信したときに、前記サーバに蓄積されている前記コンテンツの中から、前記配信要求メッセージに含まれる位置情報が前記配信条件の地理情報に適合する前記コンテンツを検索し、前記配信要求メッセージを送信した前記無線端末装置に対して、検索した前記コンテンツを配信するコンテンツ配信手段を備えていることを特徴とするコンテンツ配信システムである。
【００２６】
更に、第９の発明は、第８の発明に記載のコンテンツ配信システムであって、
前記無線端末装置に備えられた前記コンテンツ送信手段は、前記サーバに送信する前記配信条件に、前記コンテンツの配信を許可するグループ名が記述されたグループ情報を含ませる手段で、前記配信要求手段は、自機のＩＤを前記配信要求メッセージに含ませる手段で、
前記サーバは、複数の前記無線端末装置から構成されるグループごとに、グループ名に関連付けて、前記グループに属する前記無線端末装置のＩＤを記憶し、前記コンテンツ配信手段は、前記配信条件に適合する前記コンテンツとして、前記サーバに蓄積されている前記コンテンツの中から、前記配信要求メッセージに含まれる位置情報が前記配信条件の地理情報に適合し、かつ、前記配信要求メッセージに含まれる前記無線端末装置のＩＤが前記配信条件のグループ情報で特定される前記グループに含まれる前記コンテンツを検索することを特徴とするコンテンツ配信システムである。
【００２７】
更に、第１０の発明は、第８の発明に記載のコンテンツ配信システムであって、前記無線端末装置の前記コンテンツ送信手段は、前記サーバに送信する前記配信条件に、前記コンテンツの配信を許可する日時情報を含ませ、前記サーバに備えられた前記コンテンツ配信手段は、前記配信条件に適合する前記コンテンツとして、前記サーバに蓄積されている前記コンテンツの中から、前記配信要求メッセージに含まれる位置情報が前記配信条件の地理情報に適合し、かつ、前記配信要求メッセージを受信したときの日時が前記配信条件の日時情報に適合する前記コンテンツを検索することを特徴とするコンテンツ配信システムである。
【００２８】
更に、第１１の発明は、第９の発明に記載のコンテンツ配信システムであって、前記無線端末装置の前記コンテンツ送信手段は、前記サーバに送信する前記配信条件に、地理情報、グループ情報および日時情報を含ませる手段で、前記サーバの前記コンテンツ配信手段は、前記配信条件に適合する前記コンテンツとして、前記サーバに蓄積されている前記コンテンツの中から、前記配信要求メッセージに含まれる位置情報が前記配信条件の地理情報に適合し、かつ、前記配信要求メッセージに含まれる前記無線端末装置のＩＤが前記配信条件のグループ情報で特定される前記グループに含まれ、かつ、前記配信要求メッセージを受信したときの日時が前記配信条件の日時情報に適合する前記コンテンツを検索することを特徴とするコンテンツ配信システムである。
【００２９】
更に、第１２の発明は、第８の発明から第１１の発明のいずれか一つに記載のコンテンツ配信システムであって、前記無線端末装置に備えられた前記コンテンツ送信手段は、前記位置情報取得手段が取得した自機の位置情報を地理情報として前記配信条件に含ませることを特徴とするコンテンツ配信システムである。
【００３０】
更に、第１３の発明は、第１２の発明に記載のコンテンツ配信システムであって、前記無線端末装置の前記コンテンツ送信手段は、一定期間が経過するごとに、前記配送要求メッセージをサーバに送信する手段であることを特徴とするコンテンツ配信システムである。
【００３１】
更に、第１４の発明は、第１３の発明に記載のコンテンツ配信システムであって、前記無線通信端末の前記コンテンツ送信手段は、前記位置情報取得手段が取得した前回の位置情報と今回の位置情報を比較し、それぞれの位置情報が一致するときは、前記配送要求メッセージを前記サーバに送信しないことを特徴とするコンテンツ配信システムである。
【００３２】
第８の発明から第１４の発明によれば、上述した第１の発明から第７の発明と同様の効果を得ることができる。
【発明の効果】
【００３３】
このように、上述した本発明によれば、端末装置間で相互に情報交換を行うとき、情報配信局などの特別な装置を設置しなくとも、情報提供者が情報を提供したい場所を指定でき、更に、情報提供者が、コンテンツを配信する端末装置や日時を指定することのできる方法およびシステムを提供できる。
【発明を実施するための最良の形態】
【００３４】
ここから、本発明に係わるコンテンツ配信システム１、コンテンツ配信方法について、図を参照しながら詳細に説明する。図１は、本発明に係わるコンテンツ配信システム１の構成を説明する図である。
【００３５】
図１で図示したように、本発明に係わるコンテンツ配信システム１は、本発明に係わる無線端末装置として機能し、コンテンツ配信システム１のユーザが所持する携帯電話３と、情報提供者が送信したコンテンツを携帯電話３に配信するコンテンツ配信サーバ２とから構成され、各々の携帯電話３とコンテンツ配信サーバ２は、携帯電話３の無線通信回線網やインターネットなどから構成される無線通信ネットワーク１ａを介して接続されている。
【００３６】
図１で図示したコンテンツ配信システム１を構成するコンテンツ配信サーバ２は、すべての携帯電話３に対してＰＵＳＨ型でコンテンツを配信するのではなく、コンテンツの配信要求メッセージを送信した携帯電話３の中から、情報提供者が設定した配信条件に適合する携帯電話３に対してのみコンテンツをＰＵＬＬ型で配信する。
【００３７】
本発明において、情報提供者が設定する配信条件には、コンテンツの配信が許可される地理情報が必ず含まれる。コンテンツの配信条件に地理情報を含ませることで、情報提供者は、携帯電話３の通話エリアにおいて、コンテンツを配信する場所を任意に指定できるようになるし、また、コンテンツを配信するための装置をこの場所に設定する必要はなくなる。
【００３８】
コンテンツの配信条件に含ませる地理情報は、地理の緯度・経度を地理情報から特定できれば任意の形式でよいが、コンテンツ配信サーバにコンテンツを送信するときの携帯電話の位置情報を配信条件の地理情報とすれば、コンテンツを送信する携帯電話がある場所を配信条件の地理情報として設定できるようになる。
【００３９】
また、本発明では、コンテンツの配信条件に、地理情報以外の条件を加えることもできる。例えば、コンテンツの配信を許可する携帯電話３のグループ情報を配信条件に含ませれば、情報提供者は、コンテンツを配信する携帯電話３を指定することができるようになる。更に、コンテンツの配信を許可する日時情報を配信条件に含ませれば、情報提供者は、コンテンツを配信する日時を指定することができるようになる。
【００４０】
まず、図１で図示したコンテンツ配信サーバ２の各ユーザが所持する携帯電話３について説明する。図２は携帯電話３の回路ブロック図、図３は携帯電話３の機能ブロック図である。
【００４１】
ユーザが所持する携帯電話３は、ユーザが所持する携帯電話３は一般的に市販されている携帯端末で実現でき、図２の回路ブロック図で図示したように、携帯電話３には、ＣＰＵ３ａ（Central Processing Unit）と、変調前・復調後のデジタル信号を処理するベースバンド回路３ｇが備えられている。
【００４２】
ベースバンド回路３ｇには、携帯電話３の通話に利用する電波を変調・復調するＲＦインターフェース３ｋと、ＧＰＳ（Global Positioning System）の電波を変調・復調するＧＰＳインターフェース３ｍと、音声信号を変調・復調するオーディオインターフェース３ｈが接続され、ＲＦインターフェース３ｋおよびＧＰＳインターフェース３ｍにはそれぞれアンテナ３ｌおよびアンテナ３ｎが接続され、オーディオインターフェース３ｈにはスピーカ３ｉとマイク３ｊが接続されている。
【００４３】
また、ＣＰＵ３ａには、テキストや画像などを表示するディスプレイ３ｂ、文字の入力に利用するキーボード３ｃ、写真や動画を撮影するためのカメラ３ｄ、携帯電話３用のコンピュータプログラムやデータが記憶される電気的に書き換え可能不揮発性メモリであるフラッシュメモリ３ｆと、コンピュータプログラムが利用する揮発性メモリであるＳＲＡＭ（Static Random Access Memory）３ｅが接続されている。
【００４４】
ＣＰＵ３ａに接続されたフラッシュメモリ３ｆには、携帯電話３用のコンピュータプログラムとして、携帯電話３用の基本ソフトウェアであるオペレーティングシステム３０と、オペレーティングシステム３０上で動作するアプリケーションとして、コンテンツの配信に利用するときに起動するアプリケーションであるコンテンツ配信アプリケーション３１（以下、「コンテンツ配信アプリ」と略す。）が実装されている。
【００４５】
オペレーティングシステム３０では、ベースバンド回路３ｇを制御して、無線通信でコンテンツ配信サーバ２とデータ通信するためのモジュール、携帯電話３用のＨＴＭＬ文書を解釈する機能を提供するモジュール、ＧＰＳの電波や中継局から受信する電波の強弱を利用して、携帯電話３の位置情報を演算するＧＰＳ機能を提供するモジュール、カメラ３ｄを制御して、写真や動画を撮影する機能を提供するモジュールなど、携帯電話３の基本動作を行うために必要な機能が提供されている。
【００４６】
図３の機能ブロック図で図示した各手段は、図２の回路ブロック図で図示したハードウェア資源を利用し、コンテンツ配信アプリ３１によって実現される手段で、図３で図示したように、携帯電話３は、コンテンツ配信サーバ２に送信するコンテンツを生成するときに動作するコンテンツ生成手段３００と、コンテンツ作成手段３００を利用して生成されたコンテンツの配信条件を設定するときに動作する配信条件設定手段３０１と、コンテンツをコンテンツ配信サーバに送信するときに動作するコンテンツ送信手段３０２と、コンテンツの配信要求メッセージをコンテンツ配信サーバ２に送信するときに動作する配信要求手段３０３と、コンテンツ配信サーバ２から受信したコンテンツを表示するときに動作するコンテンツ表示手段３０４を備えている。
【００４７】
コンテンツ作成手段３００は、情報提供者が他のユーザに配信するコンテンツを生成するために携帯電話３に備えられる手段で、携帯電話３に備えられたキーボード３ｃや、携帯電話３に備えられたカメラ３ｄを利用して実現される手段である。
【００４８】
配信条件設定手段３０１は、情報提供者が、コンテンツ生成手段３００を利用して生成したコンテンツの配信条件を設定するために携帯電話３に備えられる手段で、携帯電話３のオペレーティングシステム３０によって提供されるＧＰＳ機能や、携帯電話３に備えられたキーボード３ｃを利用して実現される手段である。
【００４９】
配信要求手段３０３は、コンテンツの配信要求をコンテンツ配信サーバ２に要求するために携帯電話３に備えられる手段で、配信要求手段３０３は、携帯電話３のオペレーティングシステム３０によって提供されるＧＰＳ機能を利用して実現される手段である。
【００５０】
コンテンツ表示手段３０４は、コンテンツ配信サーバ２から配信されたコンテンツを表示するために携帯電話３に備えられる手段で、コンテンツ表示手段３０４は、携帯電話３のオペレーティングシステム３０によって提供されるＧＰＳ機能やＨＴＭＬ文書解析機能を利用して実現される手段である。
【００５１】
次に、コンテンツ配信サーバ２について説明する。図４はコンテンツ配信サーバ２の回路ブロック図、図５はコンテンツ配信サーバ２の機能ブロック図である。
【００５２】
コンテンツ配信サーバ２は一般的なＷｅｂサーバで実現され、図４で図示したように、コンテンツ配信サーバ２は、コンテンツ配信サーバ２を制御するＣＰＵ２ａと、メインメモリであるＲＡＭ２ｂと、大容量のデータ記憶装置であるハードディスク２ｃと、ネットワーク通信するためのネットワークインターフェース２ｄなどを備えている。
【００５３】
コンテンツ配信サーバ２のハードディスク２ｃには、本発明に係わるサーバとしてコンテンツ配信サーバ２を機能させるためのコンピュータプログラムが実装され、図５の機能ブロック図で図示した各手段は、図４の回路ブロック図で図示したハードウェア資源を利用し、このコンピュータプログラムによって実現される手段である。
【００５４】
図５で図示したように、コンテンツ配信サーバ２は、本発明に係わるサーバとして機能するために、携帯電話３から送信されたコンテンツに配信条件を関連付けて記憶するコンテンツ蓄積手段２００と、コンテンツ蓄積手段２００が蓄積したコンテンツを携帯電話３に配信するコンテンツ配信手段２０１と、コンテンツの配信に利用する情報が記憶されるデータ記憶手段２０２を備えている。
【００５５】
コンテンツ配信サーバ２に備えられたデータ記憶手段２０２は、コンテンツ配信サーバ２のハードディスク２ｃで実現され、データ記憶手段２０２には、複数の携帯電話３から構成されるグループの内容が記述されたデータテーブルであるグループテーブル２０３と、コンテンツ配信サーバ２が受信したコンテンツを検索するときに利用される配信条件テーブル２０４が設けられ、更に、携帯電話３から送信されたコンテンツのＨＴＭＬ文書が記憶される。
【００５６】
図６は、グループテーブル２０３を説明する図で、グループテーブル２０３は複数のレコードと複数のカラムとから構成され、図６において、カラム１にはグループ名が記憶され、グループ名で特定されるグループに属する携帯電話３のＩＤがカラム２から記憶される。
【００５７】
グループテーブル２０３に記憶される携帯電話３のＩＤは、携帯電話３ごとに固有の情報で、携帯電話３の電話番号、携帯電話３を所持するユーザが任意に設定した文字列でもよいが、コンテンツ配信サーバ２が生成した携帯電話３のＩＤを利用すると、携帯電話３のＩＤの管理を容易にできる。
【００５８】
図６で図示したグループテーブル２０３には、グループ名が「町内会」、「消防団部」および「交通安全部」である３つのグループが登録され、グループ名が「町内会」のグループに登録されている携帯電話３のＩＤは、「ID001」、「ID002」、「ID003」、「ID004」および「ID005」で、グループ名が「消防団部」のグループに登録されている携帯電話３のＩＤは、「ID006」、「ID007」、「ID008」、「ID009」および「ID010」で、グループ名が「交通安全部」のグループに登録されている携帯電話３のＩＤは、「ID011」、「ID012」、「ID013」、「ID014」および「ID015」である。
【００５９】
グループに登録する携帯電話３のＩＤは、コンテンツ配信サーバ２の管理者によって、登録・変更できるようにしてもよいが、ユーザが携帯電話３を操作して、登録・変更できるようにすることで、ユーザの利便性を高めることができるようになる。
【００６０】
図７は、配信条件テーブル２０４を説明する図で、配信条件テーブル２０４は複数のレコードと複数のカラムとから構成され、カラム１に、コンテンツを識別するためのコンテンツＩＤが記憶され、カラム２に、配信条件に含まれる地理情報が記述され、カラム３に、配信条件に含まれるグループ情報が記憶され、カラム４に、配信条件に含まれる日時情報の日付が記憶され、カラム５に、配信条件に含まれる日時情報の時刻が記憶される。
【００６１】
配信条件テーブル２０４に記憶されるコンテンツＩＤは、コンテンツ配信サーバ２が受信したコンテンツそれぞれを識別するための情報で、コンテンツ配信サーバ２は、コンテンツが送信されるごとに、送信されたコンテンツに付与するコンテンツＩＤを生成し、コンテンツＩＤを配信条件テーブル２０４に書き込むと共に、コンテンツＩＤを付与して、ＨＴＭＬ化されたコンテンツをデータ記憶手段２０２に記憶する。
【００６２】
また、配信条件テーブル２０４に記憶される地理情報、グループ情報および日時情報は、コンテンツがコンテンツ配信サーバ２に送信したときに、コンテンツと共に携帯電話３から送信され、コンテンツ配信サーバ２は、コンテンツが送信されると、コンテンツＩＤを生成し、コンテンツと共に送信された配信条件の内容を配信条件テーブル２０４の所定のカラムに書き込むことで、配信条件テーブル２０４を生成する。
【００６３】
図７で図示した配信条件テーブル２０４において、地理情報は経度緯度で記述され、コンテンツＩＤが「001」の地理情報は「E139.731068,N35.695637」で、コンテンツＩＤが「002」の地理情報は「E139.735574,N35.691010」で、コンテンツＩＤが「003」の地理情報は「E139.735076,N35.693012」である。
【００６４】
更に、図７で図示した配信条件テーブル２０４に記憶されるグループ情報にはグループ名が記述され、コンテンツＩＤが「001」のグループ情報は「町内会」で、コンテンツＩＤが「002」のグループ情報は「消防団部」で、コンテンツＩＤが「003」のグループ情報は「交通安全部」である。
【００６５】
更に、図７で図示した配信条件テーブル２０４において、コンテンツＩＤが「001」の日時情報の日付は「08.07.05-08.07.06」で、コンテンツＩＤが「002」の日時情報の日付は「08.07.14」で、コンテンツＩＤが「003」の日時情報の日付は「08.07.01-08.07.07」である。
【００６６】
更に、図７で図示した配信条件テーブル２０４において、コンテンツＩＤが「001」の日時情報の時刻は「7:00-17:00」で、コンテンツＩＤが「002」の日時情報の時刻は「22:00-24:00」で、コンテンツＩＤが「003」の日時情報の時刻は設定されていない。
【００６７】
コンテンツ配信サーバ２に備えられたコンテンツ蓄積手段２００は、携帯電話３からコンテンツおよび配信条件が送信されたときに作動する手段で、携帯電話３からコンテンツおよび配信条件が送信されると、コンテンツ蓄積手段２００は、送信された配信条件を参照し、配信条件テーブル２０４を更新すると共に、送信されたコンテンツをＨＴＭＬ化してデータ記憶手段２０２に記憶する。
【００６８】
コンテンツ配信サーバ２に備えられたコンテンツ配信手段２０１は、携帯電話３から配信要求メッセージを受けたときに作動する手段で、携帯電話３から配信要求メッセージを受けたときに、コンテンツに関連付けられている配信条件が成立しているコンテンツを検索し、コンテンツの配信要求を受けた携帯電話３に対して、検索したコンテンツを送信する手段である。
【００６９】
ここから、携帯電話３からコンテンツ配信サーバ２にコンテンツを送信するときの手順と、コンテンツ配信サーバ２から携帯電話３にコンテンツを配信するときの手順を説明しながら、図１で図示したコンテンツ配信システム１を構成する携帯電話３およびコンテンツ配信サーバ２に備えられた機能について詳細に説明する。
【００７０】
図８は、携帯電話３からコンテンツ配信サーバ２にコンテンツを送信するときの手順を示したフロー図で、図９は、コンテンツ配信サーバ２から携帯電話３にコンテンツを配信するときの手順を示したフロー図である。
【００７１】
まず、図８を参照しながら、携帯電話３からコンテンツ配信サーバ２にコンテンツを送信するときの手順について説明する。携帯電話３からコンテンツ配信サーバ２にコンテンツを送信するとき、情報提供者は、携帯電話３に備えられたコンテンツ作成手段を利用して、他のユーザに配信するコンテンツを作成する（Ｓ１）。
【００７２】
具体的には、情報提供者が、携帯電話３のディスプレイに表示されたコンテンツ配信アプリ３１のメニューの中から、コンテンツを作成するメニューを選択すると、コンテンツ作成手段３００が起動し、コンテンツ作成手段３００は、携帯電話３のディスプレイ３ｂにコンテンツを作成するための画面（以下、「コンテンツ作成画面）と記す。）を表示させる。
【００７３】
図１０は、コンテンツ作成画面を説明する図である。図１０で図示したコンテンツ作成画面には、コンテンツのタイトルとなるテキストが入力される入力フォーム４０と、コンテンツの本文となるテキストが入力される入力フォーム４１と、コンテンツに表示する画像/動画が記憶されているファイル名が入力される入力フォーム４２と、このファイル名を選択するときにクリックされる参照ボタン４４と、携帯電話３に備えられたカメラで画像/動画を撮影するときにクリックされるカメラ撮影ボタン４３と、コンテンツの配信条件を設定するときにクリックされる送信ボタン４６と、コンテンツを送信するときにクリックされる配信条件設定ボタンが表示される。
【００７４】
情報提供者は、携帯電話３のキーボード３ｃを操作して、入力フォーム４０および入力フォーム４１にテキストを入力し、更に、参照ボタン４４をクリックし、携帯電話３のフラッシュメモリ３ｆに記憶されているファイルの中から、コンテンツに利用する画像/動画が記憶されているファイル名を選択すると、選択されたファイル名が入力フォーム４２に表示される。
【００７５】
なお、図１０で図示したカメラ撮影ボタン４３がクリックされると、携帯電話３に備えられたカメラ機能が作動し、情報提供者は、携帯電話３に備えられたカメラ機能を利用して、コンテンツに表示させる画像／動画の撮影が可能になる。
【００７６】
情報提供者は、携帯電話３に備えられたコンテンツ作成手段３００を利用して、他のユーザに配信するコンテンツを作成すると、携帯電話３に備えられた配信条件設定手段３０１を利用して、コンテンツの配信条件を設定する（Ｓ２）。
【００７７】
具体的には、情報提供者はコンテンツの配信条件を設定するとき、図１０で図示したコンテンツ作成画面の設定ボタンをクリックすると、配信条件設定手段３０１が作動し、配信条件設定手段３０１は、コンテンツの配信条件を設定する画面（以下、「配信条件設定画面」と記す。）を携帯電話３のディスプレイに表示させる。
【００７８】
図１１は、配信条件設定画面を説明する図である。図１１で図示した配信条件設定画面５では、配信条件として、地理情報、グループ情報および日付情報を設定するために、配信条件に含ませる地理情報を表示する入力フォーム５０と、配信条件に含ませるグループ情報とするグループ名を入力する入力フォーム５２と、配信条件に含ませる日時情報の日付を表示する入力フォーム５３ａ、ｂと、配信条件に含ませる日時情報の時刻を表示する入力フォーム５５ａ、ｂと、地理情報とする位置情報を取得するときにクリックする取得ボタン５１と、配信条件の日付を設定するときにクリックされる参照ボタン５４ａ、ｂと、配信条件の時刻を設定するときにクリックされる参照ボタン５６ａ、ｂと、コンテンツの配信条件の設定を完了するときにクリックされる設定ボタン５８と、コンテンツの配信条件の設定をキャンセルするときにクリックされるキャンセルボタン５７とが備えられている。
【００７９】
図１１に図示した配信条件設定画面５の取得ボタン５１がクリックされると、配信条件設定手段３０１は、オペレーティングシステムで提供されている位置情報を演算するモジュールを呼び出し、携帯電話３の位置情報を取得し、取得した位置情報を入力フォーム５０に表示させる。
【００８０】
図１１に図示した配信条件設定画面５に備えられた参照ボタン５４ａ（または、参照ボタン５４ｂ）がクリックされると、配信条件設定手段３０１は、日付を選択するためのパレットを表示し、情報提供者が選択した日付を入力フォーム５３ａ（参照ボタン５４ｂがクリックされたときは入力フォーム５３ｂ）に表示する。
【００８１】
図１１に図示した配信条件設定画面５に備えられた参照ボタン５６ａ（または、参照ボタン５６ｂ）がクリックされると、配信条件設定手段３０１は、時刻を選択するためのパレットを表示し、情報提供者が選択した時刻を入力フォーム５５ａ（参照ボタン５６ｂがクリックされたときは入力フォーム５５ｂ）に表示する。
【００８２】
図１１に図示した配信条件設定画面５に備えられた設定ボタン５８がクリックされると、配信条件設定手段３０１は、配信条件設定画面５で設定された内容をＳＲＡＭ３ｅに記憶し、図１０で図示したコンテンツ作成画面４に戻る。また、キャンセルボタン５７がクリックされると、配信条件設定手段３０１は、配信条件設定画面５で設定されたＳＲＡＭ３ｅに記憶することなく、図１０で図示したコンテンツ作成画面４に戻る。
【００８３】
図８の説明に戻る。情報提供者がコンテンツを作成し、更に、作成したコンテンツの配信条件を設定すると、情報提供者はコンテンツおよび配信条件をコンテンツ配信サーバ２に送信する（Ｓ３）。
【００８４】
具体的には、情報提供者はコンテンツの配信条件を設定するとき、図１０で図示したコンテンツ作成画面４の送信ボタン４６をクリックする。コンテンツ作成画面４の送信ボタン４６がクリックされると、携帯電話３に備えられたコンテンツ送信手段３０２が作動し、コンテンツ送信手段３０２は、コンテンツ作成画面４で入力されたテキストや選択された画像/動画のファイルをコンテンツの本体とし、コンテンツの本体に加え、図１１の配信条件設定画面５で設定された配信条件をコンテンツ配信サーバ２に送信する。
【００８５】
コンテンツ配信サーバ２が、コンテンツおよび配信条件を受信すると（Ｓ４）、コンテンツおよび配信条件の内容を記憶し（Ｓ５）、図８で図示した手順は終了する。
【００８６】
携帯電話３からコンテンツおよび配信条件が送信されると、コンテンツ配信サーバ２のコンテンツ蓄積手段２００が作動し、コンテンツ蓄積手段２００は、送信された配信条件に従い、図７で図示した配信条件テーブル２０４を更新すると共に、送信されたコンテンツをデータ記憶手段２０２に記憶する。
【００８７】
具体的に、コンテンツ蓄積手段２００は、携帯電話３からコンテンツおよび配信条件が送信されると、コンテンツを受信した日時などを利用してコンテンツＩＤを生成する。そして、コンテンツ蓄積手段２００は、受信したコンテンツをＨＴＭＬ化し、コンテンツＩＤを付与してコンテンツをデータ記憶手段２０２に記憶する。例えば、コンテンツのファイル名にコンテンツＩＤを用いるなどして、生成したコンテンツＩＤをコンテンツに付与し、ＨＴＭＬ化したコンテンツをデータ記憶手段２０２に記憶する。
【００８８】
コンテンツ蓄積手段２００が配信条件テーブル２０４を更新するとき、送信された配信条件の内容を記憶するレコードを配信条件テーブル２０４に追加し、生成したコンテンツＩＤを追加したレコードのカラム１に書き込む。
【００８９】
更に、コンテンツ配信サーバ２は、送信された配信条件に含まれる地理情報を追加したレコードのカラム２に書き込み、配信条件に含まれるグループ情報をカラム３に書き込み、配信条件に含まれる日時情報の日付をカラム４に書き込み、配信条件に含まれる日時情報の時刻をカラム５に書き込む。
【００９０】
次に、図９を参照しながら、コンテンツを携帯電話３に配信するときの手順について説明する。本発明において、コンテンツ配信サーバ２は、ＰＵＳＨ型ではなくＰＵＬＬ型でコンテンツを携帯電話３に配信される。
【００９１】
携帯電話３は、コンテンツの配信をコンテンツ配信サーバ２に要求するとき、まず、自機の位置情報を取得する（Ｓ１０）。具体的に、携帯電話３に実装されたコンテンツ配信アプリ３１が起動しているとき、携帯電話３の配信要求手段３０３は、一定時間が経過するごとに、携帯電話３のＧＰＳ機能を起動させ、この時点における自機の位置情報を取得する。
【００９２】
携帯電話３の配信要求手段３０３は、自機の位置情報が取得できたか確認し（Ｓ１１）、携帯電話３が圏外にあるときなど、携帯電話３の位置情報を取得できなかったとき、配信要求手段３０３は、これ以降の処理を中断しＳ１０に戻り、一定時間が経過すると、再度、携帯電話３の位置情報を取得する処理を実行する。
【００９３】
自機の位置情報を取得できたとき、配信要求手段３０３は、前回取得した位置情報を同じ位置情報であるか確認し（Ｓ１２）、同じ位置情報であるときは、コンテンツ配信アプリはこれ以降の処理を中断しＳ１０に戻り、一定時間が経過すると、再度、携帯電話３の位置情報を取得する処理を実行する。
【００９４】
自機の位置情報が前回と異なるとき、配信要求手段３０３は、コンテンツ配信アプリ３１が記憶している携帯電話３のＩＤに加え、自機の位置情報を含む配信要求メッセージを生成し、生成した配信要求メッセージをコンテンツ配信サーバ２に送信することで、コンテンツ配信サーバ２に対してコンテンツの配信を要求する（Ｓ１３）。
【００９５】
コンテンツ配信サーバ２は、配信要求メッセージを携帯電話３から受信すると、コンテンツの配信要求を携帯電話３から受けたと判断し、コンテンツ配信サーバ２のコンテンツ配信手段２０１を作動させる。コンテンツ配信手段２０１は作動すると、データ記憶手段２０２に記憶されているコンテンツの中から、この時点で配信条件が成立しているコンテンツを検索する（Ｓ１４）。
【００９６】
具体的に、まず、コンテンツ配信手段２０１は、この時点で配信条件が成立しているコンテンツを検索するために、配信条件の地理情報に適合するコンテンツを検索し、配信条件の地理情報に適合するコンテンツＩＤが記述された第１のリストを生成する。
【００９７】
コンテンツ配信手段２０１が、配信条件の地理情報に適合するコンテンツを検索する手法は任意である。例えば、図７で図示した配信条件テーブル２０４のカラム２の値が携帯電話の位置情報であるとき、コンテンツ配信手段２０１は、携帯電話３から送信された配信要求メッセージに含まれる位置情報とカラム２の値が一致するコンテンツＩＤを、配信条件の地理情報に適合するコンテンツのコンテンツＩＤとして検索し、検索したコンテンツＩＤを第１のリストに記述する。
【００９８】
また、コンテンツ配信手段２０１は、図７で図示した配信条件テーブル２０４のカラム２の値を演算処理し、図７で図示した配信条件テーブル２０４のカラム２の値と、配信要求メッセージに含まれる位置情報をあるアルゴリズムに従い比較することで、配信条件の地理情報に適合するコンテンツを検索し、検索したコンテンツＩＤを第１のリストに記述することもできる。
【００９９】
例えば、配信条件テーブル２０４のカラム２の値が携帯電話の位置情報であるとき、コンテンツを配信するエリアを広げるために、図７で図示した配信条件テーブル２０４のカラム２の値と、配信要求メッセージに含まれる位置情報それぞれについて、定められた小数点以下の数値を切り捨て、定められた小数点以下の数値を切り捨てた値を比較するようにしてもよい。
【０１００】
コンテンツ配信手段２０１は配信条件の地理情報に適合するコンテンツを検索すると、配信条件の地理情報に適合するコンテンツ、すなわち、第１のリストにコンテンツＩＤが記述されたコンテンツの中から、配信条件のグループ情報に適合するコンテンツを検索し、配信条件に含まれる位置情報およびグループ情報に適合するコンテンツのコンテンツＩＤが記述された第２のリストを生成する。
【０１０１】
コンテンツ配信手段２０１は、第１のリストにコンテンツＩＤが記述されたコンテンツの中から、配信条件のグループ情報に適合するコンテンツを検索するとき、グループテーブル２０３を参照し、配信要求メッセージに含まれる携帯電話３のＩＤが記述されているグループ名を取得する。そして、コンテンツ配信手段２０１は、第１のリストに記載されたコンテンツＩＤを有するレコードのカラム３を参照し、グループテーブル２０３から取得したグループ名が記述されているレコードを検索し、検索したレコードのコンテンツＩＤを第２のリストに記述する。
【０１０２】
次に、コンテンツ配信手段２０１は、配信条件の地理情報およびグループ情報に適合したコンテンツ、すなわち、第２のリストにコンテンツＩＤが記述されているコンテンツの中から、配信条件の日時情報に適合するコンテンツを検索し、配信条件の日時情報に適合するコンテンツＩＤが記述された第３のリストを生成する。すなわち、第３のリストに記載されたコンテンツＩＤは、配信条件に含まれる位置情報、グループ情報および日時情報に適合したコンテンツのコンテンツＩＤになる。
【０１０３】
コンテンツ配信手段２０１は、第２のリストにコンテンツＩＤが記述されているコンテンツの中から、配信条件の日時情報に適合するコンテンツを検索するとき、第２のリストに記載されているコンテンツＩＤを有するレコードのカラム４およびカラム５を参照し、配信要求メッセージを受信したときの日付がカラム４の日付内であり、かつ、配信要求メッセージを受信したときの時刻がカラム５の時刻内であるレコードを検索し、このレコードのコンテンツＩＤを第３のリストに書き込む。
【０１０４】
なお、配信条件が成立しているコンテンツを検索するときに、グループ情報が設定されていないコンテンツ、すなわち、配信条件テーブル２０４のカラム３に値が記憶されていない場合、コンテンツ配信手段２０１は、このコンテンツはグループ情報を満足していると判断する。同様に、日付情報が設定されていないコンテンツに関しては日時情報を満足していると判断する。
【０１０５】
コンテンツ配信サーバ２のコンテンツ配信手段２０１は、配信条件が成立しているコンテンツを検索すると、コンテンツの検索結果を確認し（Ｓ１５）、検索されたコンテンツが無い場合、すなわち、第３のリストにコンテンツＩＤが記載されていないときは、配信するコンテンツが無いことを示すエラーコードを、配信要求メッセージを送信した携帯電話３に送信する（Ｓ１６ｂ）。
【０１０６】
また、コンテンツ配信サーバ２のコンテンツ配信手段２０１は、検索されたコンテンツがある場合、すなわち、第３のリストにコンテンツＩＤが一つ以上記載されているときは、検索されたコンテンツ、すなわち、第３のリストに記載されたコンテンツＩＤで特定され、ＨＴＭＬ化されてデータ記憶手段２０２に記憶されているコンテンツを、配信要求メッセージを送信した携帯電話３に送信する（Ｓ１６ａ）。
【０１０７】
コンテンツ配信サーバ２からエラーコード或いはコンテンツを表示するＨＴＭＬ文書を携帯電話３が受信すると、携帯電話３のコンテンツ表示手段３０４が作動し、コンテンツ表示手段３０４は、コンテンツ配信サーバ２から受信した内容を確認し（Ｓ１７）、コンテンツ配信サーバ２からエラーコードを受信したときは、表示するコンテンツが無いことを示すエラーメッセージを携帯電話３のディスプレイ３ｂに表示させ（Ｓ１８ｂ）、コンテンツ配信サーバ２からＨＴＭＬ化されたコンテンツを受信したときは、ＨＴＭＬ化されたコンテンツを解釈し、ＨＴＭＬ化されたコンテンツを携帯電話３のディスプレイ３ｂに表示させる（Ｓ１８ａ）。
【０１０８】
このように、上述した本発明によれば、端末装置間で相互に情報交換を行うとき、情報配信局などの特別な装置を設置しなくとも、情報提供者が情報を提供したい場所を指定でき、更に、情報提供者が、コンテンツを配信する端末装置や日時を指定することのできる方法およびシステムを提供できる。
【０１０９】
なお、本発明は、当業者ならば、これまで説明した実施の形態に限定されることなく、種々の変形や変更が可能である。
【０１１０】
例えば、上述した実施形態においては、無線端末装置（携帯電話３）の位置情報を取得するとき、携帯電話３のＧＰＳ機能を利用していたが、他の手法によって、無線端末装置（携帯電話３）の位置情報を取得することも当然考えられる。
【０１１１】
例えば、本発明を実施する地域に複数の無線アクセスポイントを設置し、無線端末装置がアクセスした無線アクセスポイントから、無線端末装置の位置情報を特定するようにすることもできる。
【図面の簡単な説明】
【０１１２】
【図１】コンテンツ配信システムの構成を説明する図。
【図２】携帯電話の回路ブロック図。
【図３】携帯電話の機能ブロック図。
【図４】コンテンツ配信サーバの回路ブロック図。
【図５】コンテンツ配信サーバの機能ブロック図。
【図６】グループテーブルを説明する図。
【図７】配信条件テーブルを説明する図。
【図８】コンテンツを送信するときの手順を示したフロー図。
【図９】コンテンツを配信するときの手順を示したフロー図。
【図１０】コンテンツ作成画面を説明する図。
【図１１】配信条件設定画面を説明する図。
【符号の説明】
【０１１３】
１  コンテンツ配信システム
２  コンテンツ配信サーバ
２００  コンテンツ蓄積手段
２０１  コンテンツ配信手段
２０２  データ記憶手段
２０３  グループテーブル
２０４  配信条件テーブル
３  携帯電話
３００  コンテンツ作成手段
３０１  配信条件設定手段
３０２  コンテンツ送信手段
３０３  配信要求手段
３０４  コンテンツ表示手段
【図１】
2010009441.tif 000003
【図２】
2010009441.tif 000004
【図３】
2010009441.tif 000005
【図４】
2010009441.tif 000006
【図５】
2010009441.tif 000007
【図６】
2010009441.tif 000008
【図７】
2010009441.tif 000009
【図８】
2010009441.tif 000010
【図９】
2010009441.tif 000011
【図１０】
2010009441.tif 000012
【図１１】
2010009441.tif 000013